(57)【特許請求の範囲】
【請求項１】
インキ収容筒と、該インキ収容筒の先端に設けられる先軸と、上記インキ収容筒開口部に装備されるバルブ機構部と、上記先軸の先端に固定されたボールペンのチップとを備えたバルブ装置付きのボールペンに於いて、
上記バルブ機構部３は、後端開口部に弁座部５ａが設けられた弁座体５と、テーパー状の受け座４ａを有し、受け座４ａの後方に略インキ収容筒１の後端に至る軸部４ｃを有して成る弁体４とで構成され、又、インキ収容筒１のインキ室１ａ内にインキ１４が充填され、該インキ１４の後端に筆記に伴うインキの消耗で追随して移動するグリース状のフォロア１２が配設されて、上記弁体４がスプリング８で後方に附勢されて弁座部５ａが受け座４ａで閉塞され、外筒６が上記インキ収容筒１の外周部に被嵌されると共に上記軸部４ｃの後端に外筒６が接続されて、インキ収容筒１に対して外筒６と弁体４が連動するよう成されていることを特徴とするバルブ装置付きのボールペン。
【請求項２】
フォロア１２は、インキの蒸発を防止する素材より選択され、フォロア１２内に弁体４の軸部４ｃが貫通すると共に、フォロア１２と略同等の比重を有する樹脂製の栓体１３が浸漬されてフォロア１２と一体で移動可能となることを特徴とする請求項１に記載のバルブ装置付きのボールペン。
【請求項３】
上記ボールペンのチップは、チップ９の内孔に内挿されたスプリング１１の先端で先端ボール１０を押圧して、先端ボール１０がチップ９のボールの抱持部９ａの内縁に密接してインキの直流と逆流を阻止するように設けられたことを特徴とする請求項１に記載のバルブ装置付きのボールペン。
【発明の詳細な説明】
【０００１】
【産業上の利用分野】
本発明は、低粘度のインキや所謂剪断減粘性を有した基本的には低粘度のインキを使用したボールペンの改良に関する。
【０００２】
【従来の技術】
一般に粘性の低いインキ又は剪断減粘性を有したインキを使用したボールペンは、インキの流出量が多く（筆記濃度を上げるため）インキ収容管の径を太くしてインキの搭載量を多くしている。又、インキの粘度は油性ボールペンのインキに比べて小さいのでインキ収容管に対する流動抵抗は小さい。従って、インキの自重や衝撃によりインキ漏れ（インキ収容管の後端にインキが逆流する）が生じやすい。その為に、通常はインキの後端に筆記時のインキの消耗に追随して移動するが、インキの自重や衝撃に対してインキの逆流を抑制するグリース状のフォロアが、又、必要によりフォロア棒がフォロア内に遊挿されて設けられている。しかしながら、フォロアを設けても上向き筆記をした時にはチップのボール直下のインキが無くなると、インキのヘッドが直に加わる為に顕著な逆流が生じて手や衣服を汚す危険がある。又、インキの粘度が低く流出量が多いが故に、チップ側を下向きにした場合に先端ボールとチップ抱持部の隙間が生じるとインキが滲みでる（直流）問題が存在する。
【０００３】
【発明が解決しようとする課題】
本発明の課題は、粘性の低いインキ又は筆記時のボールの回転で粘性が低下してインキが流出される剪断減粘性を有するインキを使用したインキ大容量の太軸のボールペンであって、上向きや衝撃によって生じるインキの逆流とチップ側を下向きに置いた時の直流を防止可能とする。
【０００４】
【課題を解決するための手段】
本発明のバルブ装置付きのボールペンは、インキ収容筒と、該インキ収容筒の先端に設けられる先軸と、上記インキ収容筒開口部に装備されるバルブ機構部と、上記先軸の先端に固定されたボールペンのチップとを備えたバルブ装置付きのボールペンに於いて、上記バルブ機構部３は、後端開口部に弁座部５ａが設けられた弁座体５と、テーパー状の受け座４ａを有し、受け座４ａの後方に略インキ収容筒１の後端に至る軸部４ｃを有して成る弁体４とで構成され、又、インキ収容筒１のインキ室１ａ内にインキ１４が充填され、該インキ１４の後端に筆記に伴うインキの消耗で追随して移動するグリース状のフォロア１２が配設されて、上記弁体４がスプリング８で後方に附勢されて弁座部５ａが受け座４ａで閉塞され、外筒６が上記インキ収容筒１の外周部に被嵌されると共に上記軸部４ｃの後端に外筒６が接続されて、インキ収容筒１に対して外筒６と弁体４が連動するように構成され、又、ボールペンのチップの上向き状態で、バルブによる閉塞とインキ後端のフォロアとの共同でインキの逆流が防止され、又、下向きで先端ボールからの直流が防止される。
【０００５】
【実施例】
図１乃至図４は、本発明の実施例を示すものである。本実施例のバルブ装置付きのボールペンは、先ず図１及び図２に示すように、インキ室１ａを有するインキ収容筒１と、該インキ収容筒１の先端に一体に設けられる先軸２と、上記インキ収容筒１の開口部に装備されるバルブ機構部３と、先軸２の先端に固定されるボールペンのチップ９とを備えている。
【０００６】
バルブ機構部３は、インキ収容筒１と先軸２とインキ室１ａとの間に液密状に固定された弁座体５と、該弁座体５の後端開口部に設けられた弁座部５ａと、スプリング８で後方に附勢されて弁座部５ａを閉塞するテーパー状の受け座４ａを有した弁体４とで構成されている。
又、弁体４は先端に鍔部４ｂを有し、その後端に上記受け座４ａが形成されて、先軸内後端の段部２ｂと上記鍔部４ｂとの間にスプリング８が附勢され、弁座部５ａに受け座４ａが密接する。
【０００７】
尚、実施例ではインキ収容筒１と先軸２が一体に形成されているが、インキ収容筒１の先端に弁座体５を一体に設けて弁座体に別体の先軸を液密に螺合又は圧着することも可能である。
【０００８】
ところで、前記弁体４は受け座４ａの後方に略インキ収容筒１の後端に至る長い軸部４ｃを有して成る。又、外筒６は筒状部の後端に内没状に閉塞した尾栓部６ａと、該尾栓部６ａ前端の中心部に閉塞状で後方に突出した圧入筒部６ｂが設けられ、該圧入筒部６ｂに上記弁体の軸部４ｃが固着されると共に筒状部が上記インキ収容筒１の外周部に被嵌されて、インキ収容筒１に対し弁体４と連動するよう成されている。
【０００９】
又、図１に示すように、当該筆記具の未使用時に於いてキャップ７は先軸２に止着され、インナーキャップ７ａが先軸の先端部２ａに密嵌してペン先部の乾燥を防止する。
又、図２に示すように、当該筆記具の使用時に於いては前記尾栓部６ａの内孔に止着される。
【００１０】
又、前記インキ室１ａにはインキ１４が充填され、インキの後端にはインキの蒸発を防止する素材配合のグリース状のフォロア１２が配設される。又、フォロア１２内には前記弁体４の軸部４ｃに自由に貫通する略リング状の栓体１３が浸漬される。又、栓体１３はフォロア１２と略同等の比重を有する樹脂部材で形成される。又、必要に応じて、栓体１３の外周には適宜箇所でインキ室１ａの周壁に略密接する突部が栓体の軸方向の移動を円滑にするため設けられる。（図示せず）尚、フォロア内に栓体を設けた理由は衝撃等で流動し易いフォロアの変形を防止する為である。
【００１１】
又、前記インキ収容筒１及び外筒６はインキの残量が判るように透明な樹脂成形品で形成されるが、インキが見やすいように場合により外筒６には長窓などを穿設する。
【００１２】
一方、図４に示すようにチップ９はインク流入可能なチャンネル部９ｂを有した座に先端ボール１０が略当接した状態で先端ボール１０が回転自在に抱持されるようカシメられている。又、チップ内孔にスプリング１１が内挿され、チップ９後方の軸部の後端が適宜カシメられてスプリング１１の後端が抜出不能に設けられている。又、スプリング１１の先方にはストレート部１１ａが形成され、当該ストレート部１１ａの先端が先端ボール１０の後端に押圧状に当接している。尚、先端ボール１０はその押圧でチップ９のボールの抱持部９ａ（カシメ等で形成）の内縁に密接状態と成される。又、チップ９は前記先軸２の先端に圧着される。
【００１３】
【作用】
本発明のバルブ装置付きのボールペンは以上のように構成され、筆記に伴うインキの消耗でフォロア１２が追随して移動するのでインキ室１ａのインキ収容部に空間部が生じない。従って、加温されてもインキが吹き出ることがない。又、チップ９側が上向き状態でバルブ機構部３がインキ室１ａ内を閉塞し、それとフォロア１２の共同作用でインキの逆流が防止される。又、下向きでインキの直流が防止される。又、先端ボール１０の押圧に対し外筒６を移動することで弁体４が連動してバルブが開き、インキがチップ側に供給可能となる。
【００１４】
【発明の効果】
本発明のバルブ装置付きのボールペンは、インキ大容量の太径のインキ収容筒であっても、バルブ機構部とインキ後端のフォロアの共同作用で上向きでインキの逆流が防止される。又、先端ボールを押圧するスプリングの作用で下向きでインキの直流が防止され、衣服の汚損が防止される。
【図面の簡単な説明】
【図１】本発明の実施例であるバルブ装置付きのボールペンの全体を示した縦断面図で、筆記具の未使用状態を示している。
【図２】実施例であるバルブ装置付きのボールペンの使用状態を示す縦断面図である。
【図３】外筒を前進させてバルブを開いた状態を示した縦断面図である。
【図４】ボールペンのチップを示した縦断面図である。
【符号の説明】
１  インキ収容筒
１ａ  インキ室
２  先軸
２ａ  先端部
２ｂ  段部
３  バルブ機構部
４  弁体
４ａ  受け座
４ｂ  鍔部
４ｃ  軸部
５  弁座体
５ａ  弁座部
６  外筒
６ａ  尾栓部
６ｂ  圧入筒部
７  キャップ
７ａ  インナーキャップ
８  スプリング
９  チップ
９ａ  抱持部
９ｂ  チャンネル部
９ｃ  カシメ部
１０  先端ボール
１１  スプリング
１１ａ  ストレート部
１１ｂ  小径部
１１ｃ  太径部
１２  フォロア
１３  栓体
１４  インキ
【図１】
0003736813.tif 000002
【図２】
0003736813.tif 000003
【図３】
0003736813.tif 000004
【図４】
0003736813.tif 000005